(57)【要約】【課題】遺言内容の登録・変更を容易に行うことができ、かつ、具体的な遺言内容を最新の状態で、かつ、システムに登録された遺言の専門家である遺言執行者による校閲を受けた状態での維持管理に好適な遺言書管理システム等を提供する。【解決手段】  遺言書管理システムＳを、遺言者に関する遺言者情報と、遺言の内容である遺言書情報と、遺言の内容を執行する遺言執行者に関する遺言執行者情報の登録及び管理を行うための遺言書管理装置１と、ネットワークを介して前記遺言書管理装置１と情報の授受を可能に接続された遺言者端末２と、遺言執行者の遺言執行者端末３と、を含んで構成する。【選択図】図１
2018036927.tif 000002
【特許請求の範囲】
【請求項１】
遺言者に関する遺言者情報と、遺言の内容である遺言書情報と、遺言の内容を執行する遺言執行者に関する遺言執行者情報の登録及び管理を行うための遺言書管理装置と、ネットワークを介して前記遺言書管理装置と情報の授受を可能に接続された遺言者端末と、遺言執行者の遺言執行者端末と、を含んで構成された遺言書管理システムにおいて、
前記遺言書管理装置は、
前記遺言者によって決定されたパスワードを、当該遺言者を一意に特定する遺言者ＩＤに対応付けて記憶する第１のデータベースと、
前記遺言者ＩＤと、当該遺言者ＩＤに係る遺言者の前記遺言の内容である遺言書情報とを対応付けて記憶する第３のデータベースと、
当該遺言書管理システムに含まれる複数の前記遺言者端末のうち、一の前記遺言者端末から遺言者ＩＤとパスワードを受信して認証要求を受け付けると、前記第１のデータベースを参照してパスワードの認証を行うパスワード認証手段と、
前記パスワード認証手段により認証が可とされた場合に、前記一の遺言者端末に対し、前記遺言書情報の登録又は編集を受け付ける案内情報を送信する案内情報送信手段と、
前記一の遺言者端末から、前記遺言者ＩＤと新規遺言書情報を受信する新規遺言書情報受信手段と、
前記新規遺言書情報受信手段が受信した前記新規遺言書情報を、前記新規遺言書情報受信手段が受信した日時を示す日時情報と共に当該遺言者ＩＤに対応付けて前記第３のデータベースに登録する登録手段と、を有することを特徴とする遺言書管理システム。
【請求項２】
前記遺言執行者が担当する遺言者の遺言者ＩＤと、前記遺言執行者の宛先情報とを、それぞれ対応付けて記憶する第２のデータベースを有し、かつ、
前記登録手段による登録が行われると、前記第２のデータベースを参照して、前記登録手段による登録が行われた前記遺言者ＩＤに対応付けられた遺言執行者の宛先情報を抽出し、当該遺言書管理システムに含まれる複数の前記遺言執行者端末のうち、抽出された宛先情報に基づいて一の前記遺言執行者端末に対し、前記新規遺言書情報の登録がされた旨の登録完了メッセージを送信する登録完了メッセージ送信手段を有することを特徴とする請求項１に記載の遺言書管理システム。
【請求項３】
前記第３のデータベース又は前記第２のデータベースの少なくともいずれか一方のデータベースには、各前記遺言者ＩＤに対応付けて当該遺言者ＩＤに係る前記遺言者の氏名情報がそれぞれ対応付けて記憶されており、
前記登録完了メッセージ送信手段は、前記登録手段による登録が行われた前記遺言者ＩＤに対応付けられた遺言者の氏名情報を前記第３のデータベース又は前記第２のデータベースの少なくともいずれか一方のデータベースから抽出し、抽出した氏名情報を含む登録完了メッセージを送信することを特徴とする請求項２に記載の遺言書管理システム。
【請求項４】
遺言者に関する遺言者情報と、遺言の内容である遺言書情報と、遺言の内容を執行する遺言執行者に関する遺言執行者情報の登録及び管理を行うための遺言書管理装置と、ネットワークを介して前記遺言書管理装置と情報の授受を可能に接続された遺言者端末と、遺言執行者の遺言執行者端末と、を含んで構成された遺言書管理システムにおいて、
前記遺言書管理装置は、
前記遺言者によって決定されたパスワードを、当該遺言者を一意に特定する遺言者ＩＤに対応付けて記憶する第１のデータベースと、
前記遺言者ＩＤと、当該遺言者ＩＤに係る遺言者の前記遺言の内容である遺言書情報及び当該遺言書情報を識別する識別情報と、当該遺言書情報が登録又は編集された日時を示す日時情報と、を対応付けて記憶する第３のデータベースと、
当該遺言書管理システムに含まれる複数の前記遺言者端末のうち、一の前記遺言者端末から遺言者ＩＤとパスワードを受信して認証要求を受け付けると、前記第１のデータベースを参照してパスワードの認証を行うパスワード認証手段と、
前記パスワード認証手段により認証が可とされた場合に、前記一の遺言者端末に対し、前記遺言書情報の登録又は編集を受け付ける案内情報を送信する案内情報送信手段と、
前記一の遺言者端末から、前記遺言者ＩＤと編集を希望する遺言書情報を特定する識別情報を受信して、編集要求を受け付ける編集要求受付手段と、
前記編集要求受付手段が編集要求を受け付けると、受信した前記遺言者ＩＤ及び前記識別情報に基づいて、前記第３のデータベースから遺言書情報を抽出し、前記一の遺言者端末に送信する遺言書情報送信手段と、
前記一の遺言者端末からの指示に従い、前記遺言書情報の編集を行う編集手段と、
前記編集手段によって編集された遺言書情報を、編集完了時の日時情報と共に、遺言者ＩＤと対応付けて前記第３のデータベースに再登録する再登録手段と、
を有することを特徴とする遺言書管理システム。
【請求項５】
前記遺言執行者が担当する遺言者の遺言者ＩＤと、前記遺言執行者の宛先情報とを対応付けて記憶する第２のデータベースを有し、かつ、
前記再登録手段による再登録が行われると、前記第２のデータベースを参照して、前記再登録手段による再登録が行われた前記遺言者ＩＤに対応付けられた遺言執行者の宛先情報を抽出し、当該遺言書管理システムに含まれる複数の前記遺言執行者端末のうち、抽出された宛先情報に基づいて一の前記遺言執行者端末に対し、前記遺言書情報の編集がされた旨の編集完了メッセージを送信する編集完了メッセージ送信手段を有することを特徴とする請求項４に記載の遺言書管理システム。
【請求項６】
前記第３のデータベース又は前記第２のデータベースの少なくともいずれか一方のデータベースには、各前記遺言者ＩＤに対応付けて当該遺言者ＩＤに係る前記遺言者の氏名情報がそれぞれ対応付けて記憶されており、
前記編集完了メッセージ送信手段は、前記再登録手段による再登録が行われた前記遺言者ＩＤに対応付けられた遺言者の氏名情報を、前記第３のデータベース又は前記第２のデータベースの少なくともいずれか一方のデータベースから抽出し、抽出した遺言者の氏名情報を含む編集完了メッセージを送信することを特徴とする請求項５に記載の遺言書管理システム。
【請求項７】
遺言者に関する遺言者情報と、遺言の内容である遺言書情報と、遺言の内容を執行する遺言執行者に関する遺言執行者情報の登録及び管理を行うための遺言書管理装置と、ネットワークを介して前記遺言書管理装置と情報の授受を可能に接続された遺言者端末と、遺言執行者の遺言執行者端末と、を含んで構成された遺言書管理システムにおいて、
前記遺言書管理装置は、
遺言者を一意に特定する遺言者ＩＤであって前記遺言執行者が担当する遺言者の遺言者ＩＤと、前記遺言執行者によって決定されたパスワードとを、当該遺言執行者を一意に特定する遺言執行者ＩＤに対応付けて記憶する第２のデータベースと、
前記遺言者ＩＤと、当該遺言者ＩＤに係る遺言者の前記遺言の内容である遺言書情報及び当該遺言書情報を識別する識別情報と、当該遺言書情報が登録又は編集された日時を示す日時情報と、を対応付けて記憶する第３のデータベースと、
当該遺言書管理システムに含まれる複数の前記遺言執行者端末のうち、一の前記遺言執行者端末から遺言執行者ＩＤとパスワードを受信して認証要求を受け付けると、前記第２のデータベースを参照してパスワードの認証を行うパスワード認証手段と、
前記パスワード認証手段により認証が可とされた場合に、前記一の遺言執行者端末に対し、前記遺言書情報の編集を受け付ける案内情報を送信する案内情報送信手段と、
前記一の遺言執行者端末から、前記遺言執行者ＩＤと編集を希望する遺言書情報を特定する識別情報を受信して、編集要求を受け付ける編集要求受付手段と、
前記編集要求受付手段が編集要求を受け付けると、受信した前記遺言執行者ＩＤ及び前記識別情報に基づいて、前記第３のデータベースから遺言書情報を抽出し、前記一の遺言執行者端末に送信する遺言書情報送信手段と、
前記一の遺言執行者端末からの指示に従い、前記遺言書情報の編集を行う編集手段と、
前記編集手段によって編集された遺言書情報を、編集完了時の日時情報と共に、遺言者ＩＤと対応付けて前記第３のデータベースに再登録する再登録手段と、
を有することを特徴とする遺言書管理システム。
【請求項８】
前記第３のデータベースには、各前記遺言書情報を識別する識別情報に対応付けて前記遺言者の宛先情報がそれぞれ対応付けて記憶されており、
前記再登録手段による再登録が行われると、前記第３のデータベースを参照して、前記編集手段によって編集された遺言書情報の識別情報に対応付けられた遺言者の宛先情報を抽出し、当該遺言書管理システムに含まれる複数の前記遺言者端末のうち、抽出された宛先情報に基づいて一の前記遺言者端末に対し、前記遺言書情報の編集がされた旨の編集完了メッセージを送信する編集完了メッセージ送信手段を有することを特徴とする請求項７に記載の遺言書管理システム。
【請求項９】
前記第３のデータベース又は前記第２のデータベースの少なくともいずれか一方のデータベースには、各前記遺言執行者ＩＤに対応付けて当該遺言執行者ＩＤに係る前記遺言執行者の氏名情報がそれぞれ対応付けて記憶されており、
前記編集完了メッセージ送信手段は、前記再登録手段による再登録が行われた前記遺言執行者ＩＤに対応付けられた前記遺言執行者の氏名情報を、前記第３のデータベース又は前記第２のデータベースの少なくともいずれか一方のデータベースから抽出し、抽出した遺言執行者の氏名情報を含む編集完了メッセージを送信することを特徴とする請求項８に記載の遺言書管理システム。
【請求項１０】
請求項１乃至請求項９のいずれか一項に記載の遺言書管理システムに含まれる遺言書管理装置。
【請求項１１】
遺言者に関する遺言者情報と、遺言の内容である遺言書情報と、遺言の内容を執行する遺言執行者に関する遺言執行者情報の登録及び管理を行うための遺言書管理装置と、ネットワークを介して前記遺言書管理装置と情報の授受を可能に接続された遺言者端末と、遺言執行者の遺言執行者端末と、を含んで構成された遺言書管理システムにおける遺言書管理方法であって、
前記遺言者によって決定されたパスワードを、当該遺言者を一意に特定する遺言者ＩＤに対応付けて記憶する第１のデータベースと、
前記遺言者ＩＤと、当該遺言者ＩＤに係る遺言者の前記遺言の内容である遺言書情報と、を対応付けて記憶する第３のデータベースと、
を備えた前記遺言書管理装置が、
当該遺言書管理システムに含まれる複数の前記遺言者端末のうち、一の前記遺言者端末から遺言者ＩＤとパスワードを受信して認証要求を受け付けると、前記第１のデータベースを参照してパスワードの認証を行う工程と、
前記パスワードの認証が可とされた場合に、前記一の遺言者端末に対し、前記遺言書情報の登録又は編集を受け付ける案内情報を送信する工程と、
前記一の遺言者端末から、前記遺言者ＩＤと新規遺言書情報を受信する工程と、
前記受信した前記新規遺言書情報を、受信日時を示す日時情報と共に当該遺言者ＩＤに対応付けて前記第３のデータベースに登録する工程と、
を有することを特徴とする遺言書管理方法。
【請求項１２】
遺言者に関する遺言者情報と、遺言の内容である遺言書情報と、遺言の内容を執行する遺言執行者に関する遺言執行者情報の登録及び管理を行うための遺言書管理装置と、ネットワークを介して前記遺言書管理装置と情報の授受を可能に接続された遺言者端末と、遺言執行者の遺言執行者端末と、を含んで構成された遺言書管理システムにおける遺言書管理方法であって、
前記遺言者によって決定されたパスワードを、当該遺言者を一意に特定する遺言者ＩＤに対応付けて記憶する第１のデータベースと、
前記遺言者ＩＤと、当該遺言者ＩＤに係る遺言者の前記遺言の内容である遺言書情報及び当該遺言書情報を識別する識別情報と、当該遺言書情報が登録又は編集された日時を示す日時情報と、を対応付けて記憶する第３のデータベースと、
を備えた前記遺言書管理装置が、
当該遺言書管理システムに含まれる複数の前記遺言者端末のうち、一の前記遺言者端末から遺言者ＩＤとパスワードを受信して認証要求を受け付けると、前記第１のデータベースを参照してパスワードの認証を行う工程と、
前記パスワードの認証が可とされた場合に、前記一の遺言者端末に対し、前記遺言書情報の登録又は編集を受け付ける案内情報を送信する工程と、
前記一の遺言者端末から、前記遺言者ＩＤと編集を希望する遺言書情報を特定する識別情報を受信して、編集要求を受け付ける工程と、
前記編集要求を受け付けると、受信した前記遺言者ＩＤ及び前記識別情報に基づいて、前記第３のデータベースから遺言書情報を抽出し、前記一の遺言者端末に送信する工程と、
前記一の遺言者端末からの指示に従い、前記遺言書情報の編集を行う工程と、
前記編集された遺言書情報を、編集完了時の日時情報と共に、遺言者ＩＤと対応付けて前記第３のデータベースに再登録する工程と、
を有することを特徴とする遺言書管理方法。
【請求項１３】
遺言者に関する遺言者情報と、遺言の内容である遺言書情報と、遺言の内容を執行する遺言執行者に関する遺言執行者情報の登録及び管理を行うための遺言書管理装置と、ネットワークを介して前記遺言書管理装置と情報の授受を可能に接続された遺言者端末と、遺言執行者の遺言執行者端末と、を含んで構成された遺言書管理システムにおける遺言書管理方法であって、
遺言者を一意に特定する遺言者ＩＤであって前記遺言執行者が担当する遺言者の遺言者ＩＤと、前記遺言執行者によって決定されたパスワードとを、当該遺言執行者を一意に特定する遺言執行者ＩＤに対応付けて記憶する第２のデータベースと、
前記遺言者ＩＤと、当該遺言者ＩＤに係る遺言者の前記遺言の内容である遺言書情報及び当該遺言書情報を識別する識別情報と、当該遺言書情報が登録又は編集された日時を示す日時情報と、を対応付けて記憶する第３のデータベースと、
を備えた前記遺言書管理装置が、
当該遺言書管理システムに含まれる複数の前記遺言執行者端末のうち、一の前記遺言執行者端末から遺言執行者ＩＤとパスワードを受信して認証要求を受け付けると、前記第２のデータベースを参照してパスワードの認証を行う工程と、
前記パスワードの認証が可とされた場合に、前記一の遺言執行者端末に対し、前記遺言書情報の編集を受け付ける案内情報を送信する工程と、
前記一の遺言執行者端末から、前記遺言執行者ＩＤと編集を希望する遺言書情報を特定する識別情報を受信して、編集要求を受け付ける工程と、
前記編集要求を受け付けると、受信した前記遺言執行者ＩＤ及び前記識別情報に基づいて、前記第３のデータベースから遺言書情報を抽出し、前記一の遺言執行者端末に送信する工程と、
前記一の遺言執行者端末からの指示に従い、前記遺言書情報の編集を行う工程と、
前記編集された遺言書情報を、編集完了時の日時情報と共に、遺言者ＩＤと対応付けて前記第３のデータベースに再登録する工程と、
を有することを特徴とする遺言書管理方法。
【発明の詳細な説明】
【技術分野】
【０００１】
本発明は、遺言書管理システム、遺言書管理装置、遺言書管理方法に関し、特に、遺言内容の登録・変更を容易に行うことができ、かつ、具体的な遺言内容を最新の状態で、かつ、システムに登録された遺言の専門家である遺言執行者による校閲を受けることができる遺言書管理システム等に関する。
【背景技術】
【０００２】
従来より、遺言書は、司法書士、弁護士等の専門家と相談しながら書面を作成した後に署名、捺印が行われ、さらに、公正証書遺言であれば、遺言書が公証人により作成された後に、公証役場等にて保管されることとなる。遺言書は、公正証書遺言である場合も、自筆証書遺言である場合も、書面として作成されるため、資産内容に変更が生じた場合等、遺言の内容を変更する必要があるときには、遺言者が、その都度、専門家と相談しながら作成し直さなければならず、面倒である。
一方で、近年、インターネットの普及に伴い、ネットワーク上でこれら遺言書を登録管理する手法も提案されている。
【先行技術文献】
【特許文献】
【０００３】
【特許文献１】特開２００２−４９７０８号公報
【発明の概要】
【発明が解決しようとする課題】
【０００４】
このような遺言書の登録サイトを利用すれば、遺言者は自分の意志を比較的簡単に登録しておくことができ、便利である。しかし、遺言書は遺産相続において強力な効力を有するものであり、不備の無い状態で作成されなければならない。上述したようなシステムを利用して簡単に遺言書を登録できるとしても、登録された遺言書に不備があれば、遺言自体無効にされる可能性がある。
ところで、遺言者が死亡した後、遺言の内容を実現する為には、預貯金や不動産の手続など遺言の執行に必要な一切の行為をする遺言執行者が必要である。そして、遺言書の内容は秘匿状態であることが多い。そうすると、遺言書で遺言執行者が指定されていない場合、遺言書にて指定した遺言執行者が死亡している場合等には、遺言者が死亡した後に、システムに登録された遺言書を確認して初めて遺言執行者の不在が発覚することとなり、慌てて遺言執行者を選定することとなる。
【０００５】
日本では、遺言執行者に就任するために特に資格等は必要なく、民法で定めた欠格事由（未成年者・破産者）に該当していなければ誰でも就任することができる。しかし、実際に遺言執行者の業務を遺言書に記載されている通りに正確・迅速に執行するには、それなりの知識や技能が必要である。にもかかわらず、そうとは知らずに、遺言者が遺言書内において遺言執行者として遺言者自身の身近な友人、知人、相続人などを指定することがある。知識に乏しい者や相続において利害関係が絡む者が遺言執行者に就任することにより、遺言の執行が滞ったり、遺言執行者と相続人との間でトラブルが生じる等の問題が発生するケースも少なくない。
【０００６】
本発明の目的は、このような問題等に鑑みて、遺言者が比較的簡単に遺言書を登録でき、専門家として登録された遺言執行者による遺言書の校閲を受けることが容易にでき、遺言の内容に変更が生じた場合でも、専門家として登録された遺言執行者による校閲後の遺言書を最新の状態で維持管理することができる遺言書管理システム、遺言書管理装置、遺言書管理方法を提供することにある。
【課題を解決するための手段】
【０００７】
本発明の遺言書管理システムは、遺言者に関する遺言者情報と、遺言の内容である遺言書情報と、遺言の内容を執行する遺言執行者に関する遺言執行者情報の登録及び管理を行うための遺言書管理装置１と、ネットワークを介して前記遺言書管理装置１と情報の授受を可能に接続された遺言者端末２と、遺言執行者の遺言執行者端末３と、を含んで構成された遺言書管理システムＳにおいて、前記遺言書管理装置１は、前記遺言者によって決定されたパスワードを、当該遺言者を一意に特定する遺言者ＩＤに対応付けて記憶する第１のデータベース（ＤＢ１２１）と、前記遺言者ＩＤと、当該遺言者ＩＤに係る遺言者の前記遺言の内容である遺言書情報とを対応付けて記憶する第３のデータベース（ＤＢ１２３）と、当該遺言書管理システムＳに含まれる複数の前記遺言者端末２のうち、一の前記遺言者端末２から遺言者ＩＤとパスワードを受信して認証要求を受け付けると、前記第１のデータベース（ＤＢ１２１）を参照してパスワードの認証を行うパスワード認証手段（Ｓ１２）と、前記パスワード認証手段により認証が可とされた場合に、前記一の遺言者端末２に対し、前記遺言書情報の登録又は編集を受け付ける案内情報を送信する案内情報送信手段（Ｓ１４）と、前記一の遺言者端末２から、前記遺言者ＩＤと新規遺言書情報を受信する新規遺言書情報受信手段（Ｓ３０）と、前記新規遺言書情報受信手段が受信した前記新規遺言書情報を、前記新規遺言書情報受信手段が受信した日時を示す日時情報と共に当該遺言者ＩＤに対応付けて前記第３のデータベースに登録する登録手段と、を有することを特徴とする。
【０００８】
前記遺言執行者が担当する遺言者の遺言者ＩＤと、前記遺言執行者の宛先情報とを、それぞれ対応付けて記憶する第２のデータベース（ＤＢ１２２）を有し、かつ、前記登録手段による登録が行われると、前記第２のデータベースを参照して、前記登録手段による登録が行われた前記遺言者ＩＤに対応付けられた遺言執行者の宛先情報を抽出し、当該遺言書管理システムＳに含まれる複数の前記遺言執行者端末３のうち、抽出された宛先情報に基づいて一の前記遺言執行者端末３に対し、前記新規遺言書情報の登録がされた旨の登録完了メッセージを送信する登録完了メッセージ送信手段（Ｓ３１）を有するよう構成してもよい。
【０００９】
前記第３のデータベース（ＤＢ１２３）又は前記第２のデータベース（ＤＢ１２２）の少なくともいずれか一方のデータベースには、各前記遺言者ＩＤに対応付けて当該遺言者ＩＤに係る前記遺言者の氏名情報がそれぞれ対応付けて記憶されており、前記登録完了メッセージ送信手段は、前記登録手段による登録が行われた前記遺言者ＩＤに対応付けられた遺言者の氏名情報を前記第３のデータベース（ＤＢ１２３）又は前記第２のデータベース（ＤＢ１２２）の少なくともいずれか一方のデータベースから抽出し、抽出した氏名情報を含む登録完了メッセージを送信するよう構成してもよい。
【００１０】
本発明の遺言書管理システムは、遺言者に関する遺言者情報と、遺言の内容である遺言書情報と、遺言の内容を執行する遺言執行者に関する遺言執行者情報の登録及び管理を行うための遺言書管理装置１と、ネットワークを介して前記遺言書管理装置１と情報の授受を可能に接続された遺言者端末２と、遺言執行者の遺言執行者端末３と、を含んで構成された遺言書管理システムＳにおいて、前記遺言書管理装置１は、前記遺言者によって決定されたパスワードを、当該遺言者を一意に特定する遺言者ＩＤに対応付けて記憶する第１のデータベース（ＤＢ１２１）と、前記遺言者ＩＤと、当該遺言者ＩＤに係る遺言者の前記遺言の内容である遺言書情報及び当該遺言書情報を識別する識別情報と、当該遺言書情報が登録又は編集された日時を示す日時情報と、を対応付けて記憶する第３のデータベース（ＤＢ１２３）と、当該遺言書管理システムＳに含まれる複数の前記遺言者端末２のうち、一の前記遺言者端末２から遺言者ＩＤとパスワードを受信して認証要求を受け付けると、前記第１のデータベース（ＤＢ１２１）を参照してパスワードの認証を行うパスワード認証手段（Ｓ１２）と、前記パスワード認証手段により認証が可とされた場合に、前記一の遺言者端末２に対し、前記遺言書情報の登録又は編集を受け付ける案内情報を送信する案内情報送信手段（Ｓ１４）と、前記一の遺言者端末２から、前記遺言者ＩＤと編集を希望する遺言書情報を特定する識別情報を受信して、編集要求を受け付ける編集要求受付手段（Ｓ３２）と、前記編集要求受付手段が編集要求を受け付けると、受信した前記遺言者ＩＤ及び前記識別情報に基づいて、前記第３のデータベースから遺言書情報を抽出し、前記一の遺言者端末２に送信する遺言書情報送信手段（Ｓ３３）と、前記一の遺言者端末２からの指示に従い、前記遺言書情報の編集を行う編集手段（Ｓ３４）と、前記編集手段によって編集された遺言書情報を、編集完了時の日時情報と共に、遺言者ＩＤと対応付けて前記第３のデータベースに再登録する再登録手段（Ｓ３６）と、を有するよう構成してもよい。
【００１１】
前記遺言執行者が担当する遺言者の遺言者ＩＤと、前記遺言執行者の宛先情報とを対応付けて記憶する第２のデータベース（ＤＢ１２２）を有し、かつ、前記再登録手段による再登録が行われると、前記第２のデータベースを参照して、前記再登録手段による再登録が行われた前記遺言者ＩＤに対応付けられた遺言執行者の宛先情報を抽出し、当該遺言書管理システムＳに含まれる複数の前記遺言執行者端末３のうち、抽出された宛先情報に基づいて一の前記遺言執行者端末３に対し、前記遺言書情報の編集がされた旨の編集完了メッセージを送信する編集完了メッセージ送信手段（Ｓ３８）を有するよう構成してもよい。
【００１２】
前記第３のデータベース（ＤＢ１２３）又は前記第２のデータベース（ＤＢ１２２）の少なくともいずれか一方のデータベースには、各前記遺言者ＩＤに対応付けて当該遺言者ＩＤに係る前記遺言者の氏名情報がそれぞれ対応付けて記憶されており、前記編集完了メッセージ送信手段は、前記再登録手段による再登録が行われた前記遺言者ＩＤに対応付けられた遺言者の氏名情報を、前記第３のデータベース（ＤＢ１２３）又は前記第２のデータベース（ＤＢ１２２）の少なくともいずれか一方のデータベースから抽出し、抽出した遺言者の氏名情報を含む編集完了メッセージを送信することを特徴とする。
【００１３】
本発明の遺言書管理システムは、遺言者に関する遺言者情報と、遺言の内容である遺言書情報と、遺言の内容を執行する遺言執行者に関する遺言執行者情報の登録及び管理を行うための遺言書管理装置１と、ネットワークを介して前記遺言書管理装置１と情報の授受を可能に接続された遺言者端末２と、遺言執行者の遺言執行者端末３と、を含んで構成された遺言書管理システムＳにおいて、前記遺言書管理装置１は、遺言者を一意に特定する遺言者ＩＤであって前記遺言執行者が担当する遺言者の遺言者ＩＤと、前記遺言執行者によって決定されたパスワードとを、当該遺言執行者を一意に特定する遺言執行者ＩＤに対応付けて記憶する第２のデータベース（ＤＢ１２２）と、前記遺言者ＩＤと、当該遺言者ＩＤに係る遺言者の前記遺言の内容である遺言書情報及び当該遺言書情報を識別する識別情報と、当該遺言書情報が登録又は編集された日時を示す日時情報と、を対応付けて記憶する第３のデータベース（ＤＢ１２３）と、当該遺言書管理システムＳに含まれる複数の前記遺言執行者端末３のうち、一の前記遺言執行者端末３から遺言執行者ＩＤとパスワードを受信して認証要求を受け付けると、前記第２のデータベース（ＤＢ１２２）を参照してパスワードの認証を行うパスワード認証手段（Ｓ１６）と、前記パスワード認証手段により認証が可とされた場合に、前記一の遺言執行者端末３に対し、前記遺言書情報の編集を受け付ける案内情報を送信する案内情報送信手段（Ｓ１８）と、前記一の遺言執行者端末３から、前記遺言執行者ＩＤと編集を希望する遺言書情報を特定する識別情報を受信して、編集要求を受け付ける編集要求受付手段（Ｓ６０）と、前記編集要求受付手段が編集要求を受け付けると、受信した前記遺言執行者ＩＤ及び前記識別情報に基づいて、前記第３のデータベースから遺言書情報を抽出し、前記一の遺言執行者端末３に送信する遺言書情報送信手段（Ｓ６１）と、前記一の遺言執行者端末３からの指示に従い、前記遺言書情報の編集を行う編集手段（Ｓ６２）と、前記編集手段によって編集された遺言書情報を、編集完了時の日時情報と共に、遺言者ＩＤと対応付けて前記第３のデータベースに再登録する再登録手段（Ｓ６４）と、を有することを特徴とする。
【００１４】
前記第３のデータベース（ＤＢ１２３）には、各前記遺言書情報を識別する識別情報に対応付けて前記遺言者の宛先情報がそれぞれ対応付けて記憶されており、前記再登録手段による再登録が行われると、前記第３のデータベースを参照して、前記編集手段によって編集された遺言書情報の識別情報に対応付けられた遺言者の宛先情報を抽出し、当該遺言書管理システムＳに含まれる複数の前記遺言者端末２のうち、抽出された宛先情報に基づいて一の前記遺言者端末２に対し、前記遺言書情報の編集がされた旨の編集完了メッセージを送信する編集完了メッセージ送信手段（Ｓ６６）を有するよう構成してもよい。
【００１５】
前記第３のデータベース（ＤＢ１２３）又は前記第２のデータベース（ＤＢ１２２）の少なくともいずれか一方のデータベースには、各前記遺言執行者ＩＤに対応付けて当該遺言執行者ＩＤに係る前記遺言執行者の氏名情報がそれぞれ対応付けて記憶されており、前記編集完了メッセージ送信手段は、前記再登録手段による再登録が行われた前記遺言執行者ＩＤに対応付けられた前記遺言執行者の氏名情報を、前記第３のデータベース（ＤＢ１２３）又は前記第２のデータベース（ＤＢ１２２）の少なくともいずれか一方のデータベースから抽出し、抽出した遺言執行者の氏名情報を含む編集完了メッセージを送信するよう構成してもよい。
【００１６】
本発明の遺言書管理方法は、遺言者に関する遺言者情報と、遺言の内容である遺言書情報と、遺言の内容を執行する遺言執行者に関する遺言執行者情報の登録及び管理を行うための遺言書管理装置１と、ネットワークを介して前記遺言書管理装置１と情報の授受を可能に接続された遺言者端末２と、遺言執行者の遺言執行者端末３と、を含んで構成された遺言書管理システムＳにおける遺言書管理方法であって、前記遺言者によって決定されたパスワードを、当該遺言者を一意に特定する遺言者ＩＤに対応付けて記憶する第１のデータベース（ＤＢ１２１）と、前記遺言者ＩＤと、当該遺言者ＩＤに係る遺言者の前記遺言の内容である遺言書情報と、を対応付けて記憶する第３のデータベース（ＤＢ１２３）と、を備えた前記遺言書管理装置１が、当該遺言書管理システムＳに含まれる複数の前記遺言者端末２のうち、一の前記遺言者端末２から遺言者ＩＤとパスワードを受信して認証要求を受け付けると、前記第１のデータベース（ＤＢ１２１）を参照してパスワードの認証を行う工程と、前記パスワードの認証が可とされた場合に、前記一の遺言者端末２に対し、前記遺言書情報の登録又は編集を受け付ける案内情報を送信する工程と、前記一の遺言者端末２から、前記遺言者ＩＤと新規遺言書情報を受信する工程と、前記受信した前記新規遺言書情報を、受信日時を示す日時情報と共に当該遺言者ＩＤに対応付けて前記第３のデータベースに登録する工程と、を有することを特徴とする。
【００１７】
本発明の遺言書管理方法は、遺言者に関する遺言者情報と、遺言の内容である遺言書情報と、遺言の内容を執行する遺言執行者に関する遺言執行者情報の登録及び管理を行うための遺言書管理装置１と、ネットワークを介して前記遺言書管理装置１と情報の授受を可能に接続された遺言者端末２と、遺言執行者の遺言執行者端末３と、を含んで構成された遺言書管理システムＳにおける遺言書管理方法であって、前記遺言者によって決定されたパスワードを、当該遺言者を一意に特定する遺言者ＩＤに対応付けて記憶する第１のデータベース（ＤＢ１２１）と、前記遺言者ＩＤと、当該遺言者ＩＤに係る遺言者の前記遺言の内容である遺言書情報及び当該遺言書情報を識別する識別情報と、当該遺言書情報が登録又は編集された日時を示す日時情報と、を対応付けて記憶する第３のデータベース（ＤＢ１２３）と、を備えた前記遺言書管理装置１が、当該遺言書管理システムＳに含まれる複数の前記遺言者端末２のうち、一の前記遺言者端末２から遺言者ＩＤとパスワードを受信して認証要求を受け付けると、前記第１のデータベース（ＤＢ１２１）を参照してパスワードの認証を行う工程と、前記パスワードの認証が可とされた場合に、前記一の遺言者端末２に対し、前記遺言書情報の登録又は編集を受け付ける案内情報を送信する工程と、前記一の遺言者端末２から、前記遺言者ＩＤと編集を希望する遺言書情報を特定する識別情報を受信して、編集要求を受け付ける工程と、前記編集要求を受け付けると、受信した前記遺言者ＩＤ及び前記識別情報に基づいて、前記第３のデータベースから遺言書情報を抽出し、前記一の遺言者端末２に送信する工程と、前記一の遺言者端末２からの指示に従い、前記遺言書情報の編集を行う工程と、前記編集された遺言書情報を、編集完了時の日時情報と共に、遺言者ＩＤと対応付けて前記第３のデータベースに再登録する工程と、を有することを特徴とする。
【００１８】
本発明の遺言書管理方法は、遺言者に関する遺言者情報と、遺言の内容である遺言書情報と、遺言の内容を執行する遺言執行者に関する遺言執行者情報の登録及び管理を行うための遺言書管理装置１と、ネットワークを介して前記遺言書管理装置１と情報の授受を可能に接続された遺言者端末２と、遺言執行者の遺言執行者端末３と、を含んで構成された遺言書管理システムＳにおける遺言書管理方法であって、遺言者を一意に特定する遺言者ＩＤであって前記遺言執行者が担当する遺言者の遺言者ＩＤと、前記遺言執行者によって決定されたパスワードとを、当該遺言執行者を一意に特定する遺言執行者ＩＤに対応付けて記憶する第２のデータベース（ＤＢ１２２）と、前記遺言者ＩＤと、当該遺言者ＩＤに係る遺言者の前記遺言の内容である遺言書情報及び当該遺言書情報を識別する識別情報と、当該遺言書情報が登録又は編集された日時を示す日時情報と、を対応付けて記憶する第３のデータベース（ＤＢ１２３）と、を備えた前記遺言書管理装置１が、当該遺言書管理システムＳに含まれる複数の前記遺言執行者端末３のうち、一の前記遺言執行者端末３から遺言執行者ＩＤとパスワードを受信して認証要求を受け付けると、前記第２のデータベース（ＤＢ１２２）を参照してパスワードの認証を行う工程と、前記パスワードの認証が可とされた場合に、前記一の遺言執行者端末３に対し、前記遺言書情報の編集を受け付ける案内情報を送信する工程と、前記一の遺言執行者端末３から、前記遺言執行者ＩＤと編集を希望する遺言書情報を特定する識別情報を受信して、編集要求を受け付ける工程と、前記編集要求を受け付けると、受信した前記遺言執行者ＩＤ及び前記識別情報に基づいて、前記第３のデータベースから遺言書情報を抽出し、前記一の遺言執行者端末３に送信する工程と、前記一の遺言執行者端末３からの指示に従い、前記遺言書情報の編集を行う工程と、前記編集された遺言書情報を、編集完了時の日時情報と共に、遺言者ＩＤと対応付けて前記第３のデータベースに再登録する工程と、を有することを特徴とする。
【発明の効果】
【００１９】
本発明によれば、遺言者が比較的簡単に遺言書を登録でき、かつ、専門家として登録された遺言執行者による遺言書の校閲を受けることが容易にでき、かつ、遺言の内容に変更が生じた場合でも、専門家として登録された遺言執行者による校閲後の遺言書を最新の状態で維持管理することができる。
遺言者、遺言執行者のそれぞれに対して、遺言者ＩＤ又は遺言執行者ＩＤと、パスワードを設定するようにしており、遺言書情報を新規登録、編集するには、当該ＩＤとパスワードを使用して認証を行うため、遺言者以外の者による遺言書情報の新規登録、及び、遺言者と当該遺言者が指定した指定遺言執行者以外の者による改竄を防ぐことができる。
【図面の簡単な説明】
【００２０】
【図１】遺言書管理サーバを備える遺言書管理システムＳの構成例を示すブロック図である。
【図２Ａ】システム会員ＤＢ１２１の一例である。
【図２Ｂ】遺言執行者別ＤＢ１２２の一例である。
【図２Ｃ】遺言書情報ＤＢ１２３の一例である。
【図３】遺言者端末２又は遺言執行者端末３が備える表示部の表示画面の一例である。
【図４】遺言者端末２が備える表示部の表示画面の一例である。
【図５】遺言者端末２が備える表示部の表示画面の一例である。
【図６】遺言者端末２が備える表示部の表示画面の一例である。
【図７】遺言者端末２が備える表示部の表示画面の一例である。
【図８】遺言者端末２が備える表示部の表示画面の一例である。
【図９】遺言執行者端末３が備える表示部の表示画面の一例である。
【図１０】遺言執行者端末３が備える表示部の表示画面の一例である。
【図１１】遺言執行者端末３が備える表示部の表示画面の一例である。
【図１２】遺言執行者端末３が備える表示部の表示画面の一例である。
【図１３】遺言執行者端末３が備える表示部の表示画面の一例である。
【図１４】遺言書管理サーバ１の制御部１１による処理動作例を説明するためのフローチャートである。
【図１５】遺言書管理サーバ１の制御部１１による処理動作例を説明するためのフローチャートである。
【図１６】遺言書管理サーバ１の制御部１１による処理動作例を説明するためのフローチャートである。
【図１７】遺言書管理サーバ１の制御部１１による処理動作例を説明するためのフローチャートである。
【図１８】遺言書管理サーバ１の制御部１１による処理動作例を説明するためのフローチャートである。
【発明を実施するための形態】
【００２１】
以下、本発明の実施の形態を説明する。なお、ここでは遺言書管理システムＳに備えた遺言書管理サーバに本発明の遺言書管理装置を適用する場合について説明し、当該遺言書管理サーバが本発明の遺言書管理方法における各工程を実行する場合について説明する。
【００２２】
図１は、本発明の遺言書管理装置を備える遺言書管理システムの構成例を示すブロック図である。遺言書管理システムＳは、遺言者に関する遺言者情報と、遺言の内容である遺言書情報と、遺言の内容を執行する遺言執行者に関する遺言執行者情報の登録及び管理を行うための本発明の遺言書管理装置としての遺言書管理サーバ１と、ネットワークを介して遺言書管理サーバ１と情報の授受を可能に接続された、遺言者が操作する遺言者端末２と、遺言執行者が操作する遺言執行者端末３と、により構成される。
【００２３】
遺言者端末２は、遺言書管理システムＳ内に複数存在し、遺言者がネットワークを通じて遺言書管理サーバ１にアクセスして、遺言者情報及び遺言書情報等の種々の情報を登録又は編集して更新するための装置である。例えばパーソナルコンピュータで構成されている。
【００２４】
遺言執行者端末３は、遺言書管理システムＳ内に複数存在し、遺言執行者がネットワークを通じて遺言書管理サーバ１にアクセスして、遺言者により登録又は更新された遺言書情報を閲覧参照し、必要に応じて校正（編集）するための装置である。また、遺言者の死後は、遺言書の内容を執行するため遺言書情報を閲覧参照するための装置である。例えばパーソナルコンピュータで構成されている。
【００２５】
遺言書管理サーバ１は、当該遺言書管理システムＳを設営する遺言書管理事業者が備える装置である。遺言書管理サーバ１は、演算機能を有するＣＰＵ、作業用ＲＡＭ、各種データ及びプログラムを記憶するＲＯＭ等から構成された本発明のコンピュータとしての制御部１１、ハードディスクドライブ等を備える記憶部１２、モニタ等の表示画面を備える表示部１３、遺言書管理システムＳを運営する事業者からの指示を受け付け当該指示に応じた指示信号を制御部１１に対して与える入力部（例えば、キーボード、マウス、操作パネル（タッチパネルを含む）等）１４、各種ネットワーク（ＬＡＮ（Local Area Network）を含む）を介して遺言者端末２や遺言執行者端末３などと通信を行なうための通信部１５を備えて構成されている。各構成部材はバスを介して相互に接続されている。
【００２６】
記憶部１２は、第１のデータベースとして機能するシステム会員データベース（ＤＢ）１２１、第２のデータベースとして機能する遺言執行者別データベース（ＤＢ）１２２、第３のデータベースとして機能する遺言書情報データベース（ＤＢ）１２３等を記憶する。
【００２７】
制御部１１は、他の部材と協動して本発明のパスワード認証手段、案内情報送信手段、新規遺言書情報受信手段、登録手段、登録完了メッセージ送信手段、編集要求受付手段、遺言書情報送信手段、編集手段、再登録手段、編集完了メッセージ送信手段、として機能する。
【００２８】
システム会員ＤＢ１２１には、遺言書管理システムＳの遺言者情報としての会員登録情報が登録（記憶）されている。図２Ａは、システム会員ＤＢ１２１の一例であり、図２Ａに示す例の場合、遺言者個人を一意に特定する「遺言者ＩＤ」に対応付けて、「遺言者個人情報」、「遺言者宛先情報」、遺言者により決定された「パスワード」が登録されている。全ての遺言者にそれぞれ異なる遺言者ＩＤが付与されている。「遺言者個人情報」には、例えば、遺言者の「氏名」、「性別」、「生年月日」、「住所」等が含まれる。「遺言者宛先情報」は、例えば、遺言者が操作する遺言者端末２にて受信可能なメールアドレス情報である。会員登録情報は、遺言者が遺言者端末２からネットワークを通じて遺言書管理サーバ１にアクセスして登録するようにしてもよく、会員登録の際に電子メールや書面（郵送、ＦＡＸを含む）により遺言書管理システムＳを運営する事業者に送付するようにしてもよい。後者の場合、電子メールや書面（郵送、ＦＡＸを含む）を受けた事業者の操作により遺言書管理サーバ１に会員登録情報が登録される。
【００２９】
遺言執行者別ＤＢ１２２には、遺言書の内容に従って遺言の執行に必要な一切の行為をする遺言執行者に関する遺言執行者情報が登録（記憶）されている。遺言執行者は、例えば、遺言執行士（登録商標）、司法書士、弁護士など、遺言書管理システムＳを運営する事業者が定めた資格保有者に限るなどすることにより、一定の知識を有する者のみが登録することができる。
【００３０】
図２Ｂは、遺言執行者別ＤＢ１２２の一例であり、遺言執行者情報が登録（記憶）されている。図２Ｂに示す例の場合、遺言執行者を一意に特定する「遺言執行者ＩＤ」に対応付けて、「遺言執行者個人情報」、「遺言執行者宛先情報」、「パスワード」、遺言執行者が担当する遺言者の氏名及び遺言者ＩＤ（図２Ｂ中、「担当する遺言者氏名」、「担当する遺言者ＩＤ」と表記）が登録されている。全ての遺言執行者にそれぞれ異なる遺言執行者ＩＤが付与されている。
【００３１】
「遺言執行者個人情報」には、遺言執行者の「氏名」、「性別」、「生年月日」、「住所」等が含まれる。図２Ｂでは、図示の便宜上、遺言執行者個人情報の欄に遺言執行者の氏名を示している。遺言執行者宛先情報は、例えば、遺言執行者が操作する遺言執行者端末３にて受信可能なメールアドレス情報である。図２Ｂに示す例の場合、遺言執行者“執行太郎”は、６名の遺言者を担当する遺言執行者として登録されている。言い換えれば、遺言執行者“執行太郎”は、６名の遺言者から指定された「指定遺言執行者」である。
遺言者から遺言執行者としてあらかじめ指定されて登録されている指定遺言執行者は、後に詳述する処理において、遺言執行者端末３から遺言書管理サーバ１にアクセスして、遺言書情報ＤＢ１２３に登録された遺言書情報のうち、自己が担当する遺言者の遺言書情報（遺言書データ）の編集作業を行うことができる。
遺言執行者情報は、遺言執行者が遺言執行者端末３からネットワークを通じて遺言書管理サーバ１にアクセスして登録するようにしてもよく、電子メールや書面（郵送、ＦＡＸを含む）により遺言書管理システムＳを運営する事業者に送付するようにしてもよい。後者の場合、電子メールや書面（郵送、ＦＡＸを含む）を受けた事業者の操作により遺言書管理サーバ１に遺言執行者情報が登録される。
【００３２】
遺言書情報ＤＢ１２３は、遺言書の内容を示す遺言書情報が登録されている。図２Ｃは、遺言書情報ＤＢ１２３の一例であり、図２Ｃに示す例の場合、遺言者個人を一意に特定する「遺言者ＩＤ」に対応付けて、氏名情報としての「遺言者氏名」、「遺言者宛先情報」、「遺言者個人情報」、氏名情報としての「指定遺言執行者氏名」、「指定遺言執行者ＩＤ」、「遺言書情報」が登録されている。
「指定遺言執行者氏名」とは、遺言者が、遺言執行者としてあらかじめ指定している指定遺言執行者の氏名である。「指定遺言執行者ＩＤ」とは、遺言執行者としてあらかじめ指定された遺言執行者の遺言執行者ＩＤである。
【００３３】
「遺言書情報」は、遺言者が登録した１又は複数の遺言書の内容を記した「遺言書データ」と各遺言書データを識別する識別情報により構成される。遺言書は、遺言者が相続財産として所有する預貯金、不動産、有価証券、ゴルフ会員権等、複数の財産目録に分かれていることがある。これに対応するため、遺言書データも複数登録できるよう構成されている。図２Ｃに示す例では、遺言書情報Igon data2には、識別情報「Igon data2（1）」と「Igon data2（2）」の２件の遺言書データが登録されている。
【００３４】
さらに、それが、いつ、登録又は最終編集されたかを示す日時情報が各遺言書データに対応付けて登録される。この日時情報の登録は、各遺言書データが登録又は編集される際、遺言書管理サーバ１の制御部１１によりなされる。さらに、遺言書データの編集履歴を示す「編集履歴情報」が各遺言書データに対応付けられて併せて登録される。「編集履歴情報」は、遺言書データが編集され保存される度に更新される。なお、以下の説明において、本発明の遺言書情報の新規登録、編集を遺言書データの新規登録、編集ということがある。
【００３５】
図３は遺言者端末２又は遺言執行者端末３が備えるモニタ、パネル等の表示部の表示画面の一例である。遺言書管理システムＳにアクセスした際に最初に表示される画面例である。
図４乃至図８は、遺言者端末２が備える表示部の表示画面の一例である。遺言書データの登録又は編集をする際に表示される画面例である。
図９乃至図１３は、遺言執行者端末３が備える表示部の表示画面の一例である。遺言書データの編集をする際に表示される画面例である。
【００３６】
遺言者端末２は、図３に示す表示画面から、「遺言者ログイン」２０１を選択し遺言書管理サーバ１にアクセスする。ログインの際、遺言者は遺言者端末２を操作して表示画面中の入力部２０２に自己の遺言者ＩＤを入力し、パスワード入力部２０３に自己のパスワードを入力する。その後、遺言者の操作による「遺言者ログイン」２０１の選択により、入力された遺言者ＩＤとパスワードの組と共にアクセス要求情報（認証要求）が遺言書管理サーバ１に送信される。遺言書管理サーバ１がネットワークを介して遺言者端末２からアクセス要求情報（認証要求）を受信すると、遺言書管理サーバ１にて処理の実行が開始される。
【００３７】
[遺言書管理サーバ１の具体的処理動作例]
図１４〜図１８は、遺言書管理サーバ１が、遺言者端末２又は遺言執行者端末３からアクセス要求情報を受信した際の制御部１１による処理動作例を説明するためのフローチャートである。
【００３８】
（遺言者端末２との間の具体的処理動作例）  
遺言書管理サーバ１が遺言者端末２又は遺言執行者端末３からアクセス要求情報（認証要求）を受信すると、制御部１１は、システム会員ＤＢ１２１を参照して、アクセス要求情報（認証要求）と共に遺言者ＩＤを共に受信したか否かを判定する（ステップＳ１１）。
ステップＳ１１の判定の結果、遺言者ＩＤを受信した場合（ステップＳ１１：Ｙｅｓ）、制御部１１は、パスワード認証手段として機能し、システム会員ＤＢ１２１を参照して、アクセス要求情報と共に受信したパスワードを、アクセス要求情報と共に受信した遺言者ＩＤに対応付けて登録されたパスワードと照合してパスワード認証を行う(ステップＳ１２)。
【００３９】
制御部１１は、パスワード認証が否とされた場合には（ステップＳ１２：Ｎｏ）、アクセス要求情報の送信元である遺言者端末２に対し再入力要求メッセージを送信する（ステップＳ１９）。すると、遺言者端末２の表示画面に遺言者ＩＤとパスワードの再入力を促すメッセージが表示される。遺言者が、遺言者端末２を操作して遺言者ＩＤとパスワードを再入力することにより、遺言者端末２から遺言書管理サーバ１に再入力された遺言者ＩＤとパスワードが送信される。遺言書管理サーバ１の制御部１１は、再びステップＳ１１〜Ｓ１２の処理を繰り返す。
【００４０】
制御部１１は、ステップＳ１２の認証の結果、パスワード認証が可とされた場合には（ステップＳ１２：Ｙｅｓ）、遺言者端末２との通信路を確立して、アクセスを許可する（ステップＳ１３）。なお、遺言者端末２との通信路を確立した後、遺言者端末２は、遺言書管理サーバ１に対して何等か情報を送信する際には、常に自己の遺言者ＩＤを共に送信するものとする。
【００４１】
次に、制御部１１は、案内情報送信手段として機能し、ステップＳ１１にて受信した遺言者ＩＤに対応付けられた遺言書情報等の情報を遺言書情報ＤＢ１２３から抽出して、遺言者が登録または編集を受け付ける案内情報としての遺言者用メニューページ（図４）を生成し、遺言者端末２に送信し（ステップＳ１４）、図１５のステップＳ２９ヘ移行する。
この遺言者用メニューページには、遺言者が登録している遺言書データの識別情報一覧（図４中、「登録遺言書データ一覧」）を表示する領域と、新規遺言書登録用領域により構成されている。
【００４２】
遺言者端末２の表示画面において、遺言者の操作により登録遺言書データ一覧２０４が選択されると、遺言書情報ＤＢ１２３に登録された登録遺言書データの識別情報一覧が表示される。具体的には、各遺言書データの識別情報２０６と各遺言書データに対応付けられた日時情報２０６ａが表示される。なお、図４に示す例は、遺言者「ＡＡＡＡ」の遺言者用メニューページの一例であり、新規遺言書登録用領域において、新規に遺言書データ（Igon data1（3））を登録する際の説明図である。つまり、遺言書データ（Igon data1（3））が遺言書情報ＤＢ１２３に登録される前の状態である。従って、遺言書情報ＤＢ１２３の遺言者「ＡＡＡＡ」（遺言者ＩＤ「userID1」）の遺言書情報Igon data1には、遺言書データ（Igon data1（1））、（Igon data1（1））の２件のみが登録されており、遺言者用メニューページの登録遺言書データ一覧にも当該２件の遺言書データの識別情報が表示されている状態である。
【００４３】
また、図４乃至図１３に示す遺言者端末２又は遺言執行者端末３の表示部の表示画面には、戻るボタン２１１とホームボタン２１２を備えるよう構成する。戻るボタン２１１を選択することにより、現在表示中の画面のひとつ前に表示していた画面に戻ることができる。ホームボタン２１２を選択することにより、図３に示すシステムのトップページに戻ることができる。
【００４４】
また、遺言者端末２の表示画面において遺言者の操作により設定ボタン２０５を選択することにより、遺言者は自己の「パスワード」、「遺言者宛先情報」、「遺言者個人情報」を変更することができるよう構成されている。設定ボタン２０５が選択された後の画面上で、遺言者の操作により「パスワード」又は「遺言者宛先情報」又は「遺言者個人情報」が変更されると、遺言書管理サーバ１が遺言者端末２から変更指示情報を受信する。制御部１１は、遺言者端末２からの変更指示情報に従って、システム会員ＤＢ１２１及び遺言書情報ＤＢ１２３に登録された情報を変更する。
【００４５】
遺言者端末２の表示画面の新規遺言書登録領域のファイル選択指定欄２０７において、遺言者の操作により遺言者端末２内に保存されている遺言書データを指定することにより、遺言書データを新規登録することができる。図４に示す例では、新規に遺言書データ（Igon data1（3））が指定され、アップロードボタン２０９が選択されることにより、遺言者端末２から遺言書管理サーバ１に対し、遺言者端末２内に保存されている遺言書データ（Igon data1（3））を含む登録要求が送信される。
【００４６】
なお、遺言者の操作により参照ボタン２１０が選択されることにより、ファイル選択指定欄２０７にて指定した遺言者端末２内に保存されている遺言書データを、遺言書管理サーバ１に送信する前に参照して確認することができる。参照ボタン２１０が選択されると、例えば、図５に示すように、ファイル選択指定欄２０７にて指定された遺言書データ２２０が表示される。確認後、遺言者の操作により新規登録完了ボタン２１３を選択することにより、遺言者端末２から遺言書管理サーバ１に対し、表示中の遺言書データ（Igon data1（3））を含む登録要求が送信される。戻るボタン２１１により前の画面（図４）に戻り、アップロードボタン２０９を選択してもよい。
【００４７】
遺言書管理サーバ１の制御部１１は、図１５のステップＳ２９において、遺言者端末２から、本発明の新規遺言書情報としての遺言書データと当該遺言書データの登録要求を受信したか否かを判定する（ステップＳ２９）。判定の結果、遺言者端末２から、遺言書データの登録要求を受信していない場合（ステップＳ２９：Ｎｏ）には、ステップＳ３２に移行する。
【００４８】
一方、判定の結果、制御部１１が新規遺言書情報受信手段として機能し、遺言者端末２から、遺言書データの登録要求を受信した場合（ステップＳ２９：Ｙｅｓ）には、制御部１１は、登録手段として機能し、遺言書情報ＤＢ１２３に、本発明の新規遺言書情報としての遺言書データを登録する(ステップＳ３０)。具体的には、遺言書データと共に受信した遺言者ＩＤを遺言書情報ＤＢ１２３に登録された遺言者ＩＤと照合し、当該遺言者ＩＤに対応付けて、受信した遺言書データを受信した日時情報と共に遺言書情報ＤＢ１２３に登録する。例えば、遺言者端末２から、遺言書データ（Igon data1（3））の登録要求を受信した場合には、登録要求と共に送信された遺言者ＩＤ（userID1）に基づいて、遺言書情報ＤＢ１２３の遺言者ＩＤ（userID1）と対応付けて、受信した遺言書データ（Igon data1（3））を、受信日時を示す日時情報と共に登録する。図２Ｃに示すように、遺言者ＩＤ[userID1]に対応付けられた遺言書情報[Igon data1]に、受信した遺言書データ[Igon data1（3）]が、受信した日時情報[2016.07.26 08:24]と共に登録される。なお、この際、便宜上編集履歴情報ＬＯＧ１（３）も生成され登録されるが、この時点における編集履歴情報ＬＯＧ１（３）は空の状態である。
【００４９】
そして、制御部１１は、登録完了メッセージ送信手段として機能し、遺言執行者別ＤＢ１２２を参照して、登録が行われた遺言者ＩＤに対応付けられた遺言執行者の宛先情報を抽出し、遺言書管理システムＳに含まれる複数の遺言執行者端末３のうち、抽出された宛先情報に基づいて一の遺言執行者端末３に対し、新規遺言書データ（遺言書情報）の登録がされた旨の登録完了メッセージを送信する。具体的には、遺言執行者別ＤＢ１２２から、新規に遺言書データを登録した遺言者ＩＤに対応付けられた指定遺言執行者宛先情報と遺言者氏名を抽出する。なお、遺言書情報ＤＢ１２３に遺言者氏名が登録されている場合には、遺言書情報ＤＢ１２３から、新規に遺言書データを登録した遺言者ＩＤに対応付けられた遺言者氏名を抽出してもよい。遺言書データの登録が行われたことを示す登録完了メッセージを、抽出した遺言者氏名の情報（氏名情報）と共に、抽出した指定遺言執行者の宛先情報宛に送付する（ステップＳ３１）。指定遺言執行者は、遺言執行者端末３にて遺言書データの登録完了メッセージと遺言者氏名の情報を受信する。
【００５０】
図２Ｂの例では、制御部１１は、新規に遺言書データを登録した遺言者の遺言者ＩＤ[userID1]に対応付けられた指定遺言執行者宛先情報[e1@nifee.com]と遺言者氏名[ＡＡＡＡ]を抽出する。そして、指定遺言執行者宛先情報[e1@nifee.com]の遺言執行者端末３に氏名情報を含む「ＡＡＡＡ様が新規遺言書を登録しました」等の登録完了メッセージを送信する。これにより、遺言執行者は、自己が担当する遺言者によって新たに遺言書データが登録されたことを即時に知ることができる。さらに、遺言執行者は、新規登録を行った遺言者の氏名を共に知ることができるので、特に、担当する遺言者が複数いる場合には、誰が新規登録をしたのかを直感的に把握でき有用である。
【００５１】
次に、制御部１１は、遺言書データの確認／編集要求を受信したか否かを判定する（ステップＳ３２）。遺言者端末２の表示画面において、登録遺言書データ一覧から、遺言者の操作により確認又は編集を希望する遺言書データを選択して、決定ボタン２０８を選択すると、遺言者端末２から遺言書管理サーバ１に対し、選択された遺言書データの識別情報を含む確認／編集要求が送信される。
【００５２】
判定の結果、遺言者端末２から、遺言書データの確認／編集要求を受け付けていない場合（ステップＳ３２：Ｎｏ）には、ステップＳ３９に移行し、処理を終了するか否かを判定する（ステップＳ３９）。遺言者端末２からログアウト信号を受信した場合、遺言者端末２との通信切断、タイムアウトなど何等かエラーがある場合には、ステップＳ１３で確立した通信路を切断して処理を終了する（ステップＳ３９：Ｙｅｓ）。処理を終了しないと判定した場合（ステップＳ３９：Ｎｏ）には、ステップＳ２９に移行する。
【００５３】
一方、ステップＳ３２の判定の結果、制御部１１が、編集要求受付手段として機能し、遺言者端末２から、編集を希望する遺言書情報としての遺言書データを特定する識別情報と遺言者ＩＤと共に、遺言書データの確認／編集要求を受け付けた場合（ステップＳ３２：Ｙｅｓ）には、制御部１１は、遺言書情報送信手段として機能し、遺言書情報ＤＢ１２３から、受信した遺言者ＩＤ及び識別情報に基づいて要求された遺言書データを抽出し、遺言者端末２に送信する（ステップＳ３３）。
【００５４】
遺言者端末２では、遺言書管理サーバ１から遺言書データを受信すると、表示画面に表示して確認又は編集できる状態となる。図６は、図４における登録遺言書データ一覧から遺言書データの識別情報「Igon data1（1）」が選択され、遺言書管理サーバ１から識別情報「Igon data1（1）」の遺言書データを受信した際の遺言者端末２の表示画面の表示例である。表示画面に識別情報「Igon data1（1）」の遺言書データに係る遺言書の内容が表示される。遺言者は、表示画面に表示された遺言書データ２２３の確認又は編集作業を行う。編集作業の内容は、編集指示として、遺言者端末２から遺言書管理サーバ１に対し送信される。そして、遺言書管理サーバ１の制御部１１は、編集手段として機能し、編集指示に従って遺言書データの編集を行う（ステップＳ３４）。
【００５５】
遺言書データ２２３の編集作業が終わると、遺言者の操作により編集完了ボタン２２１が選択される。編集完了ボタン２２１が選択されると、遺言者端末２から遺言書管理サーバ１に対し、編集完了情報が送信される。
【００５６】
次に、制御部１１は、遺言者端末２から編集完了情報を受信したか否かを判定する（ステップＳ３５）。判定の結果、遺言者端末２から、編集完了情報を受信していない場合（ステップＳ３５：Ｎｏ）には、図１６のステップＳ４０に移行する。一方、判定の結果、遺言者端末２から、編集完了情報を受信した場合（ステップＳ３５：Ｙｅｓ）には、制御部１１は再登録手段として機能し、編集後の遺言書データを遺言者ＩＤと対応付けて、編集完了時の日時情報と共に遺言書情報ＤＢ１２３に登録（再登録）する（ステップＳ３６）。
【００５７】
次に、制御部１１は、編集前の遺言書データを編集履歴情報に追加し、編集履歴情報を更新する(ステップＳ３７)。そして、制御部１１は、編集完了メッセージ送信手段として機能し、遺言執行者別ＤＢ１２２を参照して、編集を行った遺言者ＩＤに対応付けられた遺言執行者の宛先情報を抽出し、遺言書管理システムＳに含まれる複数の遺言執行者端末３のうち、抽出された宛先情報に基づいて一の遺言執行者端末３に対し、遺言書情報の編集がされた旨の編集完了メッセージを送信する。具体的には、遺言執行者別ＤＢ１２２から、遺言書データの編集を行った遺言者ＩＤに対応付けられた指定遺言執行者宛先情報と遺言者氏名（氏名情報）を抽出する。なお、遺言書情報ＤＢ１２３に遺言者氏名が登録されている場合には、遺言書情報ＤＢ１２３から、遺言書データの編集を行った遺言者ＩＤに対応付けられた遺言者氏名を抽出してもよい。遺言書データの編集が行われたことを示す編集完了メッセージを、抽出した遺言者氏名の情報と共に、抽出した指定遺言執行者の宛先情報宛に送付する（ステップＳ３８）。指定遺言執行者は、遺言執行者端末３にて遺言書データの編集完了メッセージと遺言者氏名の情報を受信する。これにより、遺言執行者は、自己が担当する遺言者が遺言書データを編集したことを即時に知ることができる。さらに、遺言執行者は、編集を行った遺言者の氏名を共に知ることができるので、特に、担当する遺言者が複数いる場合には、誰が編集を行ったかを直感的に把握でき有用である。
【００５８】
また、遺言者は、遺言書データを確認又は編集中に、遺言書データの履歴情報を閲覧することができる。遺言者端末２の表示画面において遺言者の操作により履歴閲覧ボタン２２２が選択されると（図６）、遺言者端末２から遺言書管理サーバ１に対し、表示中の遺言書データの識別情報を含む履歴閲覧要求が送信される。
【００５９】
遺言書管理サーバ１の制御部１１は、遺言者端末２から、遺言書データの履歴閲覧要求を受信したか否かを判定する（ステップＳ４０）。判定の結果、遺言者端末２から、遺言書データの履歴閲覧要求を受信していない場合（ステップＳ４０：Ｎｏ）には、ステップＳ４２に移行する。一方、判定の結果、遺言者端末２から、遺言書データの履歴閲覧要求を受信した場合（ステップＳ４０：Ｙｅｓ）には、制御部１１は、遺言書情報ＤＢ１２３から、履歴閲覧要求にて要求された遺言書データの識別情報に対応付けられた編集履歴情報を抽出し、遺言者端末２に送信する（ステップＳ４１）。遺言者端末２では、遺言書管理サーバ１から編集履歴情報を受信すると、表示画面に表示して閲覧できる状態となる。
【００６０】
図７に示す例は、遺言書管理サーバ１の制御部１１が、遺言書情報ＤＢ１２３から識別情報「Igon data1（1）」の遺言書データに対応付けて登録された編集履歴情報「ＬＯＧ１（１）」を抽出し、これを受信した遺言者端末２の表示画面の表示例である。編集履歴情報「ＬＯＧ１（１）」２２４は、遺言書データが編集された回数分の編集履歴を有する。
【００６１】
図７に示す編集履歴情報「ＬＯＧ１（１）」の例では、６件の編集履歴がある。図に示すように、時系列で履歴を並べて表示してもよい。時系列で表示する際、編集日時、編集者（遺言者又は遺言執行者）と共に表示するよう構成してもよい。遺言者は、遺言者端末２の表示画面において、編集履歴の中から遺言者の操作により閲覧を希望する編集履歴を選択して、決定ボタン２２５を選択すると、編集履歴情報「ＬＯＧ１（１）」２２４に含まれる複数の編集履歴の中から選択された編集履歴を閲覧できる状態となる。図８は、図７における編集履歴の中から「log1(1)_5」が選択され、表示された例である。図８の例で示した遺言書データ２３１は、識別情報「Igon data1（1）」の遺言書データの５回目の編集の後の遺言書データ２３１の状態である。図６に示した同じ識別情報「Igon data1（1）」の最新の状態の遺言書データ２２３と比べると、遺言書データ２２３のほうが株券の情報が増えていることがわかる。このように、遺言書データの編集履歴を容易に確認することができる。
【００６２】
遺言者は、編集履歴を確認中に、なんらか遺言書データの編集を希望する場合がある。遺言者の操作により編集ボタン２３０を選択することにより、遺言者端末２の表示画面が図６に示す状態にもどり、最新の遺言書データ２２３が表示され、編集可能状態となる。
【００６３】
次いで、制御部１１は、処理を終了するか否かを判定する（ステップＳ４２）。遺言者端末２からログアウト信号を受信した場合、遺言者端末２との通信切断、タイムアウトなどなんらかエラーがある場合等には、ステップＳ１３で確立した通信路を切断して処理を終了する（ステップＳ４２：Ｙｅｓ）。処理を終了しないと判定した場合（ステップＳ４２：Ｎｏ）には、ステップＳ２９に移行する。
【００６４】
（遺言執行者端末３との間の具体的処理動作例）  
ステップＳ１１の判定の結果、遺言者ＩＤを受信していない場合（ステップＳ１１：Ｎｏ）には、制御部１１は、遺言執行者別ＤＢ１２２を参照して、アクセス要求情報（認証要求）と共に遺言執行者ＩＤを共に受信したか否かを判定する（ステップＳ１５）。ステップＳ１５の判定の結果、遺言執行者ＩＤを受信した場合（ステップＳ１５：Ｙｅｓ）、制御部１１は、遺言執行者別ＤＢ１２２を参照して、アクセス要求情報と共に受信したパスワードを、アクセス要求情報と共に受信した遺言執行者ＩＤに対応付けて登録されたパスワードと照合してパスワード認証を行う(ステップＳ１６)。
【００６５】
制御部１１は、パスワード認証が否とされた場合には（ステップＳ１６：Ｎｏ）、アクセス要求情報の送信元である遺言執行者端末３に対し再入力要求メッセージを送信する（ステップＳ１９）。すると、遺言執行者端末３の表示画面に遺言執行者ＩＤとパスワードの再入力を促すメッセージが表示される。遺言執行者が、遺言執行者端末３を操作して遺言執行者ＩＤとパスワードを再入力することにより、遺言執行者端末３から遺言書管理サーバ１に再入力された遺言執行者ＩＤとパスワードが送信される。遺言書管理サーバ１の制御部１１は、再びステップＳ１１〜Ｓ１６の処理を繰り返す。
【００６６】
制御部１１は、ステップＳ１６の認証の結果、パスワード認証が可とされた場合には（ステップＳ１６：Ｙｅｓ）、遺言執行者端末３との通信路を確立して、アクセスを許可する（ステップＳ１７）。なお、遺言執行者端末３との通信路を確立した後、遺言執行者端末３は、遺言書管理サーバ１に対して何等か情報を送信する際には、常に自己の遺言執行者ＩＤを共に送信するものとする。
【００６７】
次に、制御部１１は、ステップＳ１５にて受信した遺言執行者ＩＤに対応付けられた遺言書情報等の情報を遺言執行者別ＤＢ１２２及び遺言書情報ＤＢ１２３から抽出して、遺言執行者が登録または編集することができる遺言執行者用メニューページ（図９）を生成し、遺言執行者端末３に送信する（ステップＳ１８）。
この遺言執行者用メニューページには、遺言執行者が担当する遺言者一覧を表示し、遺言者の選択を受け付ける領域と選択された遺言者が登録している遺言書データの識別情報一覧（登録遺言書データ一覧）を表示する領域により構成されている。
【００６８】
遺言執行者端末３の表示画面において遺言執行者の操作により担当する遺言者一覧４０１が選択されると、遺言執行者別ＤＢ１２２から抽出された担当する遺言者の氏名一覧が表示される（図９：担当する遺言者様一覧：以下「遺言者一覧」という。）。具体的には、遺言書情報ＤＢ１２３から、ステップＳ１５で受信した遺言執行者ＩＤに対応付けられた担当する遺言者氏名が表示される。
【００６９】
そして、遺言執行者端末３の表示画面において遺言執行者の操作により遺言者一覧４０４の中から一の遺言者が選択されると、遺言書情報ＤＢ１２３から抽出された当該遺言者の遺言書情報が登録遺言書データ一覧に表示される。なお、図４の登録遺言書データ一覧で示したように、各遺言書データ識別情報と各遺言書データに対応付けられた日時情報とを共に表示してもよい。
なお、図９に示す例は、先に説明したステップＳ３０の処理において、遺言者ＡＡＡＡの新規遺言書データ（Igon data1（3））が遺言書情報ＤＢ１２３に登録された後に生成された遺言執行者用メニューページの例である。
【００７０】
また、遺言執行者端末３の表示画面において遺言執行者の操作により設定ボタン４０２を選択することにより、遺言執行者は自己の「パスワード」、「遺言執行者宛先情報」、「遺言執行者個人情報」を変更することができるよう構成されている。設定ボタン４０２が選択された後の画面上で、遺言執行者の操作により「パスワード」又は「遺言執行者宛先情報」又は「遺言執行者個人情報」が変更されると、遺言書管理サーバ１が遺言執行者端末３から変更指示情報を受信する。制御部１１は、遺言執行者端末３からの変更指示情報に従って遺言執行者別ＤＢ１２２及び遺言書情報ＤＢ１２３に登録された情報を変更する。
【００７１】
次に、制御部１１は、遺言書データの確認／編集要求を受信したか否かを判定する（図１７：ステップＳ６０）。遺言執行者端末３の表示画面において、登録遺言書データ一覧から、遺言執行者の操作により確認又は編集を希望する遺言書データを選択して、決定ボタン４０８を選択すると、遺言執行者端末３から遺言書管理サーバ１に対し、選択された遺言書データの識別情報を含む確認／編集要求が送信される。
【００７２】
判定の結果、遺言執行者端末３から、遺言書データの確認／編集要求を受信していない場合（ステップＳ６０：Ｎｏ）には、ステップＳ６７に移行し、処理を終了するか否かを判定する（ステップＳ６７）。遺言執行者端末３からログアウト信号を受信した場合、遺言執行者端末３との通信切断、タイムアウトなど何等かエラーがある場合には、ステップＳ１７で確立した通信路を切断して処理を終了する（ステップＳ６７：Ｙｅｓ）。処理を終了しないと判定した場合（ステップＳ６７：Ｎｏ）には、ステップＳ６０に移行する。
【００７３】
一方、ステップＳ６０の判定の結果、制御部１１が、編集要求受付手段として機能し、遺言執行者端末３から、編集を希望する遺言書情報としての遺言書データを特定する識別情報と遺言執行者ＩＤと共に、遺言書データの確認／編集要求を受信した場合（ステップＳ６０：Ｙｅｓ）には、制御部１１は、制御部１１は、遺言書情報送信手段として機能し、遺言書情報ＤＢ１２３から、受信した遺言施行者ＩＤ及び識別情報に基づいて要求された遺言書データを抽出し、遺言執行者端末３に送信する（ステップＳ６１）。
【００７４】
遺言執行者端末３では、遺言書管理サーバ１から遺言書データを受信すると、表示画面に表示して確認又は編集できる状態となる。図１０は、図９における登録遺言書データ一覧から識別情報「Igon data1（3）」の遺言書データが選択され、遺言書管理サーバ１から識別情報「Igon data1（3）」の遺言書データを受信した際の遺言執行者端末３の表示画面の表示例である。表示画面に識別情報「Igon data1（3）」の遺言書データに係る遺言書の内容が表示される。図１０に示す遺言書データ５０１の例は、先に説明したステップＳ３０の処理において、遺言者によって新たに遺言書情報ＤＢ１２３に登録された新規遺言書データ（識別情報：Igon data1（3））である。
【００７５】
遺言執行者は、表示画面に表示された遺言書データ５０１の確認又は編集作業を行う。編集作業の内容は、編集指示として、遺言執行者端末３から遺言書管理サーバ１に対し送信される。そして、遺言書管理サーバ１の制御部１１は、編集手段として機能し、編集指示に従って遺言書データの編集を行う（ステップＳ６２）。遺言書データ５０１の編集後の状態の一例を図１１に示す。遺言者によって登録された新規遺言書（図５、図１０）と図１１の遺言書を比較するとわかるように、専門家である遺言執行者が遺言執行者端末３を操作して適式な遺言書となるよう整えることができる。
【００７６】
遺言書データ５０１の編集作業が終わると、遺言執行者の操作により編集完了ボタン５０２が選択される。編集完了ボタン５０２が選択されると、遺言執行者端末３から遺言書管理サーバ１に対し、編集完了情報が送信される。
【００７７】
次に、制御部１１は、遺言執行者端末３から編集完了情報を受信したか否かを判定する（ステップＳ６３）。判定の結果、遺言執行者端末３から、編集完了情報を受信していない場合（ステップＳ６３：Ｎｏ）には、図１８のステップＳ７０に移行する。一方、判定の結果、遺言執行者端末３から、編集完了情報を受信した場合（ステップＳ６３：Ｙｅｓ）には、制御部１１は再登録手段として機能し、編集後の遺言書データを遺言者ＩＤと対応付けて、編集完了時の日時情報と共に遺言書情報ＤＢ１２３に登録（再登録）する（ステップＳ６４）。
【００７８】
次に、制御部１１は、編集前の遺言書データを編集履歴情報に追加し、編集履歴情報を更新する(ステップＳ６５)。そして、制御部１１は、編集完了メッセージ送信手段として機能し、遺言書情報ＤＢ１２３を参照して、編集された遺言書データの識別情報に対応付けられた遺言者の宛先情報を抽出し、遺言書管理システムＳに含まれる複数の遺言者端末２のうち、抽出された宛先情報に基づいて一の遺言者端末２に対し、遺言書情報の編集がされた旨の編集完了メッセージを送信する。具体的には、遺言書情報ＤＢ１２３から、編集が行われた遺言書データに対応づけられた遺言者の宛先情報と指定遺言執行者氏名（氏名情報）を抽出する。なお、遺言執行者別ＤＢ１２２に遺言執行者氏名が登録されている場合には、遺言執行者別ＤＢ１２２から、遺言書データの編集を行った遺言執行者ＩＤに対応付けられた遺言執行者氏名を抽出してもよい。
【００７９】
次いで、制御部１１は、遺言書データの編集が行われたことを示す遺言書データの編集完了メッセージを、抽出した指定遺言執行者氏名の情報と共に、抽出した遺言者の宛先情報宛に送付する（ステップＳ６６）。遺言者は、遺言者端末２にて遺言書データの編集完了メッセージと指定遺言執行者氏名の情報を受信する。これにより、遺言者は、指定遺言執行者によって遺言書データが編集されたことを即時に知ることができる。さらに、本発明によれば、自己が指定した遺言執行者のみが自己の遺言書情報を編集可能ではあるが、遺言執行者が自己の遺言書情報を編集した際には、編集した遺言執行者の氏名を共に知ることができるので、より、不安は軽減され、安心できる。
【００８０】
また、遺言執行者は、遺言書データを確認又は編集中に、遺言書データの履歴情報を閲覧することができる。遺言執行者端末３の表示画面において遺言執行者の操作により履歴閲覧ボタン５０３が選択されると、遺言執行者端末３から遺言書管理サーバ１に対し、表示中の遺言書データの識別情報を含む履歴閲覧要求が送信される。
【００８１】
遺言書管理サーバ１の制御部１１は、遺言執行者端末３から、遺言書データの履歴閲覧要求を受信したか否かを判定する（ステップＳ７０）。判定の結果、遺言執行者端末３から、遺言書データの履歴閲覧要求を受信していない場合（ステップＳ７０：Ｎｏ）には、ステップＳ７２に移行する。一方、判定の結果、遺言執行者端末３から、遺言書データの履歴閲覧要求を受信した場合（ステップＳ７０：Ｙｅｓ）には、制御部１１は、遺言書情報ＤＢ１２３から、履歴閲覧要求にて要求された遺言書データの識別情報に対応付けられた編集履歴情報を抽出し、遺言執行者端末３に送信する（ステップＳ７１）。遺言執行者端末３では、遺言書管理サーバ１から編集履歴情報を受信すると、表示画面に表示して閲覧できる状態となる。
【００８２】
図１２に示す例は、遺言書管理サーバ１の制御部１１が、遺言書情報ＤＢ１２３から識別情報「Igon data1（3）」の遺言書データに対応付けて登録された編集履歴情報「ＬＯＧ１（３）」を抽出し、これを受信した遺言執行者端末３の表示画面の表示例である。編集履歴情報「ＬＯＧ１（３）」は、遺言書データが編集された回数分の編集履歴を有する。図１２に示す編集履歴情報「ＬＯＧ１（３）」の例では、１件の編集履歴がある。本実施形態では、遺言者によって新たに遺言書情報ＤＢ１２３に登録された際の遺言書データのみが編集履歴「log1(3)_1」５０４として登録されている。
【００８３】
遺言執行者は、遺言執行者端末３の表示画面において、編集履歴の中から遺言者の操作により閲覧を希望する編集履歴を選択して、決定ボタン５０５を選択すると、編集履歴情報に含まれる複数の編集履歴の中から選択された編集履歴を閲覧できる状態となる。図１３は、図１２において編集履歴「log1(3)_1」５０４が選択され、表示された例である。図１３の例で示した遺言書データ６０１は、編集履歴「log1(3)_1」であり、遺言書データ「Igon data1（3）」が新規登録された時の状態である。遺言執行者による編集後の状態である遺言書データ５０１（図１１）と容易に比較確認することができる。
【００８４】
また、遺言者同様、遺言執行者も、編集履歴を確認中に、なんらか遺言書データの編集を希望する場合がある。遺言執行者の操作により編集ボタン６０２を選択することにより、遺言執行者端末３の表示画面が図１１に示す状態にもどり、最新の遺言書データが表示され、編集可能状態となる。
【００８５】
次いで、制御部１１は、処理を終了するか否かを判定する（ステップＳ７２）。遺言執行者端末３からログアウト信号を受信した場合、遺言執行者端末３との通信切断、タイムアウトなどなんらかエラーがある場合等には、ステップＳ１７で確立した通信路を切断して処理を終了する（ステップＳ７２：Ｙｅｓ）。処理を終了しないと判定した場合（ステップＳ７２：Ｎｏ）には、ステップＳ６０に移行する。
【００８６】
以上のように、本実施形態の遺言書管理システムＳによれば、遺言者が比較的簡単に遺言書を登録でき、かつ、専門家として登録された遺言執行者による遺言書の校閲を受けることが容易にでき、かつ、遺言の内容に変更が生じた場合でも、専門家として登録された遺言執行者による校閲後の遺言書を最新の状態で維持管理することができる。
遺言者、遺言執行者のそれぞれに対して、遺言者ＩＤ又は遺言執行者ＩＤと、パスワードを設定するようにしており、遺言書情報を新規登録、編集するには、当該ＩＤとパスワードを使用して認証を行うため、遺言者以外の者による遺言書情報の新規登録、及び、遺言者と当該遺言者が指定した指定遺言執行者以外の者による改竄を防ぐことができる。
また、遺言者によって遺言書情報の新規登録、編集が行われた場合には、指定遺言執行者宛にメッセージが送信されるので、遺言執行者は、遺言者によって遺言書情報の新規登録、編集が行われたことを即時に知ることができる。
【００８７】
遺言者は、表面に遺言書管理システムＳを運営する事業者の連絡先（住所、メールアドレス、電話番号、ＦＡＸ番号等）の情報が印刷されたＩＣカードを所有するよう構成してもよい。ＩＣカードのＩＣチップには、システム会員ＤＢ１２１に登録した自身の会員登録情報、指定遺言執行者氏名、指定遺言執行者ＩＤ等の情報を記録しておく。そして、遺言者が死亡した際に、連絡を受けた遺言書管理システムＳを運営する事業者が、遺言者のＩＣカードの情報を遺言書管理サーバ１に備えたＩＣカードリーダ（不図示）にて読み出すよう構成してもよい。ＩＣカードから読みだされた指定遺言執行者ＩＤ等に基づいて、記憶部１２の各データベースを参照し、指定遺言執行者の遺言執行者端末３に担当する遺言者が死亡したことを伝えるよう構成する。
【００８８】
遺言者に脈拍計、体温計等を装備したウェアラブルデバイスを装着するよう構成してもよい。ウェアラブルデバイスは、例えば、腕時計型、指輪型、イヤホン型、首から下げる携帯型など様々な医療用デバイスが開発されている。ウェアラブルデバイスは、遺言書管理サーバ１と通信可能に構成する。そして、ウェアラブルデバイス内の記憶部に、システム会員ＤＢ１２１に登録した自身の会員登録情報、指定遺言執行者氏名、指定遺言執行者ＩＤ等の情報を記録しておく。
【００８９】
ウェアラブルデバイス内のコンピュータが、遺言者の心拍停止等の異常を検知すると、ウェアラブルデバイス内の記憶部から遺言者ＩＤと指定遺言執行者ＩＤを読み出す。そして、遺言書管理サーバ１に異常を知らせる緊急信号を、読み出した遺言者ＩＤと指定遺言執行者ＩＤと共に送信する。緊急信号を受信した遺言書管理サーバ１は、遺言者ＩＤと指定遺言執行者ＩＤに基づいて、記憶部１２の各データベースを参照し、指定遺言執行者の遺言執行者端末３に担当する遺言者が死亡したことを伝えるよう構成する。
【００９０】
また、遺言書管理システムＳの提携先の警備会社等を介して、遺言書管理システムＳを運営する事業者に連絡が来るよう構成してもよい。ウェアラブルデバイス内のコンピュータが、遺言者の心拍停止等の異常を検知すると、警備会社等のコンピュータに異常を知らせる緊急信号を、ウェアラブルデバイスのＧＰＳ等の位置情報と共に送信する。そうすると、警備会社等の警備員が、位置情報に基づいて急行する。警備員が遺言者の死亡を確認した際に、遺言書管理システムＳを運営する事業者に連絡する。
以上の構成により、遺言執行者は、自己の担当する遺言者の遺言の効力発生をいち早く察知し、対応することができる。
【００９１】
本発明の適用範囲は上述した実施形態に限定されることはない。本発明は、遺言者と遺言執行者によってアクセス可能な遺言書管理システム等に対し、広く適用することができる。
【符号の説明】
【００９２】
１  遺言書管理サーバ
１１  制御部
１２  記憶部
１２１  システム会員ＤＢ
１２２  遺言執行士別ＤＢ
１２３  遺言書情報ＤＢ
１３  表示部
１４  入力部
１５  通信部
２  遺言者端末
３  遺言執行者端末
【図１】
2018036927.tif 000003
【図２Ａ】
2018036927.tif 000004
【図２Ｂ】
2018036927.tif 000005
【図２Ｃ】
2018036927.tif 000006
【図３】
2018036927.tif 000007
【図４】
2018036927.tif 000008
【図５】
2018036927.tif 000009
【図６】
2018036927.tif 000010
【図７】
2018036927.tif 000011
【図８】
2018036927.tif 000012
【図９】
2018036927.tif 000013
【図１０】
2018036927.tif 000014
【図１１】
2018036927.tif 000015
【図１２】
2018036927.tif 000016
【図１３】
2018036927.tif 000017
【図１４】
2018036927.tif 000018
【図１５】
2018036927.tif 000019
【図１６】
2018036927.tif 000020
【図１７】
2018036927.tif 000021
【図１８】
2018036927.tif 000022